(57)【要約】【課題】散歩中にも蚊に刺されたりしないような動物専用の蚊とり器具を提供すること。【解決手段】少なくとも動物に着用させる衣服（１０）と、衣服にワンタッチで取り付け可能な蚊とり器（２０）から形成され、蚊とり器（２０）はカートリッジ回転型で、動物の背中側に着脱自在に取り付けられ、衣服（１０）は動物の胴回りおよび／または首回りに巻き付けて着用させるタイプで、両端縁に面ファスナー（１１）が取り付けられ、メッシュ素材が好ましく、蚊とり器が収納可能なポケット（１２）が取り付けられている。   【選択図】図３
2007330106.tif 000002
【特許請求の範囲】
【請求項１】
少なくとも動物に着用させる衣服と、該衣服にワンタッチでセット可能な蚊とり器とから構成されていることを特徴とする、動物専用蚊とり器具。
【請求項２】
前記蚊とり器はカートリッジ回転型の蚊とり器であることを特徴とする、請求項１記載の動物専用蚊とり器具。
【請求項３】
前記蚊とり器は動物の背中側に着脱自在に取り付けられていることを特徴とする、請求項１又は２記載の動物専用蚊とり器具。
【請求項４】
前記衣服は動物の胴回りおよび／または首回りに巻き付けて着用させるタイプで、両端縁に面ファスナーが取付けられていることを特徴とする、請求項１、２又は３記載の動物専用蚊とり器具。
【請求項５】
前記衣服はメッシュ素材を主体として作製されていることを特徴とする、請求項１、２、３又は４記載の動物専用蚊とり器具。
【請求項６】
前記衣服には蚊とり器が収納可能なポケットが取り付けられていることを特徴とする、請求項１、２、３、４又は５記載の動物専用蚊とり器具。
【請求項７】
前記衣服には散歩用の引き綱が取り付け可能に作製されていることを特徴とする、請求項１、２、３、４、５又は６記載の動物専用蚊とり器具。
【請求項８】
前記衣服には名札スペースが設けられていることを特徴とする、請求項１、２、３、４、５、６又は７記載の動物専用蚊とり器具。
【請求項９】
前記動物はペット用の犬であることを特徴とする、請求項１、２、３、４、５、６、７又は８記載の動物専用蚊とり器具。
【発明の詳細な説明】
【技術分野】
【０００１】
本発明は、動物専用の蚊とり器具に関するものであり、特には、犬等のペット専用の蚊とり器具に関するものである。
【背景技術】
【０００２】
犬等のペットは、蚊に刺されたりするとフィラリア症にかかる恐れがある。そのような理由もあって、犬等のペット用としての蚊とり線香等の蚊避け、蚊取りのための商品が多数流通している（例えば、特許文献１参照）。
【０００３】
上記先行技術文献を示す。
【特許文献１】特開２００３−１０２３０７号公報。
【０００４】
しかし、いずれも室内用や庭の犬小屋まわりの商品で置き型、吊り式中心のため、例えば散歩中には使用できないという問題がある。
【０００５】
また、犬等のペットに、虫よけ用の薬剤が入ったスプレー等で直接吹き付けたり、虫よけ用の薬剤が含浸等されたペット用の濡れティッシュで塗布したりするタイプも存在するがペットの体への影響が心配であったり、効果に疑問があったりする。
【発明の開示】
【発明が解決しようとする課題】
【０００６】
本発明は、犬等のペットなどの動物専用の蚊とり器具に関する以上のような問題に鑑みてなされたもので、散歩中にも蚊に刺されたりしないような動物専用の蚊とり器具を提供することを課題とする。
【課題を解決するための手段】
【０００７】
本発明の請求項１の発明は、少なくとも動物に着用させる衣服と、該衣服にワンタッチでセット可能な蚊とり器とから構成されていることを特徴とする、動物専用蚊とり器具である。
【０００８】
このように請求項１記載の発明によれば、少なくとも動物に着用させる衣服と、該衣服にワンタッチでセット可能な蚊とり器とから構成されているので、動物に着用させるだけで、蚊とり器を動物に取り付けることができるので、動物が散歩等の移動中も常に蚊とり器を使用することができることになり、動物が蚊などの害虫にまとわりつかれることがない。
【０００９】
また、請求項２の発明は、請求項１の発明において、前記蚊とり器は、カートリッジ回転型の蚊とり器であることを特徴とする、動物専用蚊とり器具である。
【００１０】
このように請求項２記載の発明によれば、蚊とり器が、カートリッジ回転型の蚊とり器であるので、薬剤がなくなるとカートリッジを取り替えるだけで何回も使用でき、取り扱いが簡単である。
【００１１】
また、請求項３の発明は、請求項１又は２の発明において、前記蚊とり器は動物の背中側に着脱自在に取り付けられていることを特徴とする、動物専用蚊とり器具である。
【００１２】
このように請求項３記載の発明によれば、蚊とり器は動物の背中側に着脱自在に取り付けられているので、蚊とり器を使用せずに衣服として使用することもできるし、蚊とり器が犬などの動物の嗅覚を刺激することもない。
【００１３】
また、請求項４の発明は、請求項１、２又は３の発明において、前記衣服は動物の胴回りおよび／または首まわりに巻き付けて着用させるタイプで、両端縁に面ファスナーが取付けられていることを特徴とする、動物専用蚊とり器具である。
【００１４】
このように請求項４記載の発明によれば、衣服は動物の胴回りおよび／または首まわりに巻き付けて着用させるタイプで、両端縁に、例えば、マジックテープ（登録商標）のような面ファスナーが取付けられているので、動物への着用や取り外しを簡単に行うことができる。
【００１５】
また、請求項５の発明は、請求項１、２、３又は４の発明において、前記衣服はメッシュ素材を主体として作製されていることを特徴とする、動物専用蚊とり器具である。
【００１６】
このように請求項５記載の発明によれば、衣服はメッシュ素材を主体として作製されているので、着用した際は風通しが良く快適である。
【００１７】
また、請求項６の発明は、請求項１、２、３、４又は５の発明において、前記衣服には蚊とり器が収納可能なポケットが取り付けられていることを特徴とする、動物専用蚊とり器具である。
【００１８】
このように請求項６記載の発明によれば、衣服には蚊とり器が収納可能なポケットが取り付けられているので、衣服を動物に着用させたまま蚊とり器具を容易に着脱することができる。
【００１９】
また、請求項７の発明は、請求項１、２、３、４、５又は６の発明において、前記衣服には散歩用の引き綱が取り付け可能に作製されていることを特徴とする、動物専用蚊とり器具である。
【００２０】
このように請求項７記載の発明によれば、衣服には散歩用の引き綱が取り付け可能な引き綱取り付け具が取り付けられて作製されているので、散歩用の引き綱を取り付けることにより、犬等の動物を常に手元から放すことなく散歩させることができる。
【００２１】
また、請求項８の発明は、請求項１、２、３、４、５、６又は７の発明において、前記衣服には名札スペースが設けられていることを特徴とする、動物専用蚊とり器具である。
【００２２】
このように請求項８記載の発明によれば、衣服には名札スペースが設けられているので、名札スペースに名前や飼い主の連絡先を記入しておくことにより迷子札としても活用できる。
【００２３】
また、請求項９の発明は、請求項１、２、３、４、５、６、７又は８の発明において、前記動物はペット用の犬であることを特徴とする、動物専用蚊とり器具である。
【００２４】
このように請求項９記載の発明によれば、ペット用の犬に好適な動物専用蚊とり器具である。
【発明の効果】
【００２５】
このように本発明の動物専用蚊とり器具を使用することにより、散歩中に蚊などに刺さ
れる恐れがすくなくなり、従ってフィラリア症にかかる可能性も少なくなる。
また、蚊とり器を取り外した衣服はペットウェアとしても使用できる。取り外した蚊とり器は、犬小屋等のペットハウスにつり下げておくことができる。
【発明を実施するための最良の形態】
【００２６】
本発明を一実施形態に基づいて以下に詳細に説明する。
本発明の動物専用蚊とり器具（１）は、例えば、図１、図６に示すように、少なくとも動物（３０）に着用させる衣服（１０）と、該衣服にワンタッチでセット可能な蚊とり器（２０）とから構成されていることを特徴とする。
【００２７】
衣服（１０）は、動物の胴回りおよび／または首回りに巻き付けて着用させるタイプで、図１〜図３に示すベストタイプのほか、バンダナタイプ等各種考えられる。材質は特に限定されないが、メッシュ素材を主体として作製されるものは、風通しが良く通気性に富む。
【００２８】
また、端縁に着脱自在の面ファスナー（１１）（例えば、マジックテープ（登録商標））を取り付けておくと、衣服の着脱が容易になる。
【００２９】
また、衣服（１０）には、蚊とり器等が収納可能なポケット（１２）を取り付けたり、散歩用等のための引き綱（３１）が取り付け可能なフック等引き綱取り付け具（１３）を設けたり、名札スペース（１４）を設けたりすることができる。衣服（１０）の蚊とり器（２０）取り付け場所には、面ファスナー（１５）を貼付したり、ベルト（１６）やコネクターの雄部分（１７）を取り付けたりして、蚊とり器（２０）が衣服（１０）にワンタッチでセット可能になるようにしてある。
【００３０】
さらに衣服（１０）は、着用する犬等の大きさに合わせて、数種類のサイズ別に作製したり、雄用と雌用等色を変えたりすることもできる。
【００３１】
蚊とり器（２０）は、薬剤を取替えて繰り返し使用可能なカートリッジ回転型が好ましく、衣服（１０）の犬等動物の背中側に取り付けられる。背中側に取り付けることにより犬等使用する動物の嗅覚を刺激することが少ない。
【００３２】
蚊とり器（２０）の裏面に面ファスナー（２１）を取り付けたり、あるいは側面にベルト用フック（２２）やコネクターの雌部分（２３）を取り付けたりして、蚊とり器（２０）が衣服（１０）に簡単かつ確実に取り付けられるようにしてある。
【００３３】
また蚊とり器（２０）は、衣服（１０）に設けたポケット（１２）に収納して使用することもできる。
【００３４】
このようにして作製した動物専用蚊とり器具（１）は犬等の動物に簡単に取り付けて使用することができる。
【図面の簡単な説明】
【００３５】
【図１】本発明の動物専用蚊とり器具の一実施例を示す、平面説明図である。
【図２】本発明の動物専用蚊とり器具用の衣服の一実施例を示す、平面説明図である。
【図３】本発明の動物専用蚊とり器具用の衣服の別の実施例を示す、平面説明図である。
【図４】本発明の動物専用蚊とり器具用の蚊とり器の一実施例を示す、（ａ）は平面説明図であり、（ｂ）は裏面説明図であり、（ｃ）は側面説明図である。
【図５】本発明の動物専用蚊とり器具用の蚊とり器の別の実施例を示す、（ａ）は平面説明図であり、（ｂ）は裏面説明図であり、（ｃ）は側面説明図である。
【図６】本発明の動物専用蚊とり器具を犬に取り付けた使用状態の一実施例を示す、斜視説明図である。
【符号の説明】
【００３６】
１‥‥動物専用蚊とり器具
１０‥‥衣服
１１‥‥面ファスナー
１２‥‥ポケット
１３‥‥引き綱取り付け具
１４‥‥名札スペース
１５‥‥面ファスナー
１６‥‥ベルト
１７‥‥コネクターの雄部分
２０‥‥蚊とり器
２１‥‥面ファスナー
２２‥‥ベルト用フック
２３‥‥コネクターの雌部分
３０‥‥動物
３１‥‥引き綱
【図１】
2007330106.tif 000003
【図２】
2007330106.tif 000004
【図３】
2007330106.tif 000005
【図４】
2007330106.tif 000006
【図５】
2007330106.tif 000007
【図６】
2007330106.tif 000008